(57)【要約】      （修正有）【課題】装置ケースにプリント基板を取付ける前に、サブアセンブリーとして装置ケースに操作キーユニットを仮配設し、その後に、装置ケースを異なる場所に運搬したような場合でも、操作キーユニットが装置ケースの所定配設位置に仮固定され、しかも、電子機器の大型化を招かないようにした。【解決手段】複数の操作キーをキー連結フレーム１０−１乃至１０−６により連結することにより形成した操作キーユニット９−１乃至９−６を、プリント基板と共に上ケース５ａに組込む場合、上ケース５ａにプリント基板を取付け固定するために形成した取付けボス５ａ―３に、キー連結フレーム１０−１乃至１０−６に形成した嵌合部１２をそれぞれ嵌合することにより、操作キーユニット９−１乃至９−６を上ケース５ａに仮固定するように構成した。【選択図】図５
2008047442.tif 000002
【特許請求の範囲】
【請求項１】
複数の操作キーをキー連結フレームにより連結することにより形成した操作キーユニットを、プリント基板と共に装置ケースに組込んで構成する操作キーユニット取付け構造であって、前記装置ケースにプリント基板を取付け固定するための取付けボスを複数本形成し、前記取付けボスの少なくとも一に、前記キー連結フレームに形成した嵌合部を嵌合することにより、前記操作キーユニットを前記装置ケースに仮固定するように構成したことを特徴とする操作キーユニットの取付け構造。
【請求項２】
前記嵌合部が、前記取付けボスの外形凸形状とほぼ同じ内形凹形状を有するとともに、一部を切り欠いて形成した切り離し部を有して構成していることを特徴とする請求項１に記載の操作キーユニットの取付け構造。
【請求項３】
前記操作キーユニットを複数個並置して前記装置ケースに仮固定する場合、互いに隣接する操作キーユニットの嵌合部を、それぞれ前記複数の取付けボスのうち共通の取付けボスに嵌合することによって、前記互いに隣接する操作キーユニット同士を上下方向に重合する状態で前記装置ケースに仮固定するように構成したことを特徴とする請求項１又は２に記載の操作キーユニットの取付け構造。
【請求項４】
前記操作キーユニットを複数個並置して前記装置ケースに仮固定する場合、互いに隣接する一対の操作キーユニットのうち、一方の操作キーユニットにおけるキー連結フレームに連結突起を形成すると共に、他方の操作キーユニットにおけるキー連結フレームに連結孔部を形成して、前記連結孔部に前記連結突起を嵌合することにより、両操作キーユニットを連結構成したことを特徴とする請求項３に記載の操作キーユニットの取付け構造。
【請求項５】
前記互いに隣接する操作キーユニット同士を上下方向に重合する場合、両操作キーユニットのキー連結フレームにおける重合部に、互い違いの段差部を設けることにより、前記両操作キーユニットにおける複数の操作キーの各操作キートップ面が高さ方向においてフラットになるように構成したことを特徴とする請求項３又は請求項４に記載の操作キーユニットの取付け構造。
【請求項６】
前記操作キーユニットを複数個並置して前記装置ケースに仮固定する場合、互いに隣接する一対の操作キーユニットの各キー連結フレームのうち、一方のキー連結フレームに連結凸部を形成すると共に他方の連結フレームに前記連結凸部に嵌合する連結凹部を形成し、前記連結凹部に前記連結凸部を嵌合することによって、前記互いに隣接する前記操作キーユニットを重合する状態で前記装置ケースに仮固定するように構成したことを特徴とする請求項１乃至請求項５のいずれか一に記載の操作キーユニットの取付け構造。
【請求項７】
前記取付けボスに前記嵌合部を嵌合することにより前記装置ケースに前記操作キーユニットを仮固定した状態で、さらに、前記取付けボスにプリント基板の取付け孔を嵌合し前記操作キーユニットにスイッチ開閉機構を介在させて前記プリント基板を重ねた状態で、前記プリント基板を、前記各操作キーユニットと共に、前記装置ケースに本固定して構成したことを特徴とする請求項１ないし請求項６のいずれか一に記載の操作キーユニットの取付け構造を用いて構成する操作キーユニットを備えた電子機器。
【発明の詳細な説明】
【技術分野】
【０００１】
本発明は、電話機などに操作部として用いる操作キーユニットの取付け構造及びこれを用いて構成するキーユニットを備えた電子機器、特に、電話機における操作キーの増設のために電話機本体とは別構成の操作キー装置等に用いる操作キーユニットの取付け構造及びこれを用いて構成する操作キーユニットを備えた電子機器に関する。
【背景技術】
【０００２】
従来の電話機等の電子機器に用いる操作キーユニットは、複数のトップ可動部（操作キー）とトップヒンジ部とをトップフレーム(キー連結フレーム)にて連結することにより構成したキートップと、複数のベース可動部及びベースヒンジをベースフレームにて連結して構成したキーベースとで構成し、これらキートップ及びキーベースを、装置ケースの上部を構成する上ケースとプリント基板との間に挟み込むように取付けられることによって、キーユニットの取付け構造を構成しており、プリント基板は、上ケースに起立形成した溶着用ボスをプリント基板に形成した溶着ボス用孔に挿通させて後、溶着用ボスの突出部分を溶着することによって、上ケースに取付けていた（特許文献１、特許文献２参照）。
【特許文献１】特開２０００−１１４７５３号公報
【特許文献２】実開平４−８５６２４号公報
【発明の開示】
【発明が解決しようとする課題】
【０００３】
従って、従来の操作キーユニット取付け構造においては、操作キーユニットを上ケースとプリント基板とで挟み込むことによって上ケースに取付けるといっても、プリント基板の溶着ボス用孔に溶着用ボスを挿通し溶着した後初めて、操作キーユニットは上ケースに固定されるものである。
【０００４】
しかしながら、この種の装置においては、上ケースにプリント基板を取付ける前に、サブアセンブリーとして、上ケースに操作キーユニットを仮配設して、この状態で次工程等に運搬するような場合があり、このような場合には、上ケースへの操作キーユニットの仮固定構造を有さないために、運搬中に折角上ケースの所定の設置場所に仮配設した操作キーユニットが脱落してしまうことがあり、いざ、運搬先で、プリント基板を配して挟着固定しようとする際に、再び、上ケースの所定の設置場所に操作キーユニットを配置し直す必要が出てきて、組立工数増の要因となっていた。
【０００５】
特に、電話機のような電子機器においては、機器機能の増加により、キー数の増加を招いており、このことから、電話機本体とは別構成の操作キー装置を使用する場合がある。このような場合、多数の操作キーをいくつかのブロックにユニット化して構成した操作キーユニットを複数個用いることになるが、これら複数の操作キーユニットを装置ケースに仮配設し、その後に、プリント基板と共に本固定するとしても、実際に本固定する際に、当該装置ケースには操作キーユニットの仮固定構造を有さないために、折角装置ケースに仮配設した操作キーユニットが装置ケースの配設位置より位置ずれしてしまい、再配設し直す必要が出てきて、このための多くの組立て工数が係ることになる。このような自体を解消するために、装置ケースに操作キーユニットの仮固定構造を別個に設置することが考えられるが、このように別個に装置ケースに仮固定構造を設置する対策では、電子機器自体の大型化を招くことにもなりかねないところである。
【０００６】
そこで、本発明は、かかる点に鑑み、装置ケースにプリント基板を取付ける前に、サブアセンブリーとして装置ケースに操作キーユニットを仮配設し、その後に、装置ケースを異なる場所に運搬したような場合でも、操作キーユニットが装置ケースの所定配設位置に仮固定されるように構成し、しかも、仮固定構造を装置ケースへの設置が電子機器の大型化を招かないようにした操作キーユニットの取付け構造及びこれを用いて構成する操作キーユニットを備えた電子機器を提供することを目的としている。
【課題を解決するための手段】
【０００７】
上記目的を達成するために本発明は、複数の操作キーをキー連結フレームにより連結することにより形成した操作キーユニットを、プリント基板と共に装置ケースに組込んで構成する場合、装置ケースにプリント基板を取付け固定するための取付けボスを複数本形成し、取付けボスの少なくとも一に、キー連結フレームに形成した嵌合部を嵌合することにより、操作キーユニットを装置ケースに仮固定するように構成した。
【発明の効果】
【０００８】
上記のように構成する本発明は、装置ケースにプリント基板を取付ける前に、装置ケースに形成した取付けボスにキー連結フレームに形成した嵌合部を嵌合することにより操作キーユニットをサブアセンブリーすることができ、このために、装置ケースに操作キーユニットを仮固定するための特別の突起等を形成する必要がなく、また、仮固定のためのキー連結フレームの嵌合部が装置ケース側の取付けボスにたとえばフリクションを有して嵌合していることにより、その後に、装置ケースを異なる場所に運搬したような場合でも、操作キーユニットが装置ケースの所定配設位置に仮固定された状態を維持することができ、プリント基板を取付ける場合に、操作キーユニットを再配設する必要がなくなり、機器の組立て工数を大幅に軽減することができると共に、装置の大型化を招くことを防止する。
【発明を実施するための最良の形態】
【０００９】
請求項１に記載の本発明は、複数の操作キーをキー連結フレームにより連結することによって形成した操作キーユニットを、プリント基板と共に装置ケースに組込んで構成する操作キーユニット取付け構造であって、装置ケースにプリント基板を取付け固定するための取付けボスを複数本形成し、取付けボスの少なくとも一に、キー連結フレームに形成した嵌合部を嵌合することにより、操作キーユニットを装置ケースに仮固定するように構成したことを特徴とする。
【００１０】
かかる構成により、装置ケースにプリント基板を取付ける前に、装置ケースに形成した取付けボスにキー連結フレームに形成した嵌合部を嵌合することにより操作キーユニットをサブアセンブリーすることができ、このために、装置ケースに操作キーユニットを仮固定するための特別の突起等を形成する必要がなく、また、仮固定のためのキー連結フレームの嵌合部が装置ケース側の取付けボスにたとえばフリクションを有して嵌合していることにより、その後に、装置ケースを異なる場所に運搬したような場合でも、操作キーユニットが装置ケースの所定配設位置に仮固定された状態を維持して脱落防止機能を発揮することができ、プリント基板を取付ける場合に、操作キーユニットを再配設する必要がなくなり、機器の組立て工数を大幅に軽減することができると共に、装置の大型化を招くことを防止する。
【００１１】
請求項２に記載の本発明は、請求項１に記載の嵌合部が、取付けボスの外形凸形状とほぼ同じ内形凹形状を有するとともに、一部を切り欠いて形成した切り離し部を有して構成していることを特徴とする。
【００１２】
かかる構成により、操作キーユニット側の嵌合部を装置ケース側の取付けボスに嵌合する際に、切り離し部が拡がりながら嵌合部を取付けボスに嵌合させることができ、嵌合部を取付けボスに対してフリクションを持たせて嵌合したとしても、嵌合部の取付けボスへの嵌合が容易に行うことができる。
【００１３】
請求項３に記載の本発明は、請求項１又は請求項２に記載の操作キーユニットを複数個並置して装置ケースに仮固定する場合、互いに隣接する操作キーユニットの嵌合部を、それぞれ複数の取付けボスのうち共通の取付けボスに嵌合することによって、互いに隣接する操作キーユニット同士を上下方向に重合する状態で装置ケースに仮固定するように構成したことを特徴とする。
【００１４】
かかる構成により、互いに重なって装置ケースに仮固定された操作キーユニットのうち、装置ケースに対して下側に位置する操作キーユニットが上側に位置する操作キーユニットによって支持されることになり、下側の操作キーユニットの装置ケースからの脱落防止機能がさらに確実なものとなり、しかも、互いに隣接する操作キーユニット同士を上下方向に重合させることによって、装置ケース内における省スペース化を図ることができる。
【００１５】
請求項４に記載の本発明は、請求項３に記載の操作キーユニットを複数個並置して前記装置ケースに仮固定する場合、互いに隣接する一対の操作キーユニットのうち、一方の操作キーユニットにおけるキー連結フレームに連結突起を形成すると共に、他方の操作キーユニットにおけるキー連結フレームに連結孔部を形成して、連結孔部に連結突起を嵌合することにより、両操作キーユニットを連結構成したことを特徴とする。
【００１６】
かかる構成により、一方の操作キーユニットの連結突起を他方の操作キーユニットの連結孔部に嵌合することによって、両操作ユニットを互いにサブアセンブリーすることができて、装置ケースにサブアセンブリーした状態において、互いに干渉し合って、装置ケースからの脱落を防止することができる。
【００１７】
請求項５に記載の本発明は、請求項３又は請求項４に記載の互いに隣接する操作キーユニット同士を上下方向に重合する場合、両操作キーユニットのキー連結フレームにおける重合部に、互い違いの段差部を設けることにより、両操作キーユニットにおける複数の操作キーの各操作キートップが高さ方向においてフラットになるように構成したことを特徴とする。
【００１８】
かかる構成によれば、操作キーユニット同士を互いに重合して、装置ケースに配設したとしても、互いに段差なく装置ケースに収まることになり、装置ケースから表出するキートップ上面がフラットとなるばかりでなく、プリント基板の装置ケースの取付けもフラットにすることができ、装置ケース内にキートップが段差なく配置されることによってデッドスペースを作ることなくなり、装置ケースの小型化を図れることができる。
【００１９】
請求項６に記載の本発明は、請求項１乃至請求項５のいずれか一に記載の操作キーユニットを複数個並置して前記装置ケースに仮固定する場合、互いに隣接する一対の操作キーユニットの各キー連結フレームのうち、一方のキー連結フレームに連結凸部を形成すると共に他方の連結フレームに連結凸部に嵌合する連結凹部を形成し、連結凹部に連結凸部を嵌合することによって、互いに隣接する操作キーユニットを重合する状態で前記装置ケースに仮固定するように構成したことを特徴とする。
【００２０】
かかる構成によれば、互いに隣接する一対の操作キーユニットのうち、一方の操作キーユニットの連結凸部を他方の操作キーユニットの凹部に嵌合することによって、両操作ユニットを互いにアセンブリーすることができて、装置ケースにサブアセンブリーした状態において、互いに干渉し合って、装置ケースからの脱落を防止することができる。
【００２１】
請求項７に記載の本発明に係る電子機器は、請求項１ないし請求項６のいずれか一に記載の操作キーユニットの取付け構造を用いて、取付けボスに嵌合部を嵌合することにより装置ケースに操作キーユニットを仮固定した状態で、さらに、取付けボスにプリント基板の取付け孔を嵌合して操作キーユニットにスイッチ開閉機構を介在させて前記プリント基板を重ねた状態で、プリント基板を、各操作キーユニットと共に、装置ケースに本固定して構成したことを特徴とする。
【００２２】
かかる構成により、装置ケースにプリント基板を取付ける前に、装置ケースに形成した取付けボスにキー連結フレームに形成した嵌合部を嵌合することにより操作キーユニットを仮固定によるサブアセンブリーをすることができ、このために、装置ケースに操作キーユニットを仮固定するための特別の突起等を形成する必要がなく、また、仮固定のためのキー連結フレームの嵌合部が装置ケース側の取付けボスにたとえばフリクションを有して嵌合することにより、その後に、装置ケースを異なる場所に運搬したような場合でも、操作キーユニットが装置ケースの所定配設位置に仮固定された状態を維持して脱落防止機能を発揮することができ、プリント基板を取付ける場合に、操作キーユニットを再配設する必要がなくしかも、操作キーユニットに仮固定されているために、電子機器の組立て工数を大幅に軽減することができると共に、電気機器の大型化を招くことを防止することができる。
【００２３】
以下、図を用いて本発明を実施するための最良の形態における実施例を説明する。
【００２４】
図１は、本発明に係る実施例を採用した電子機器としての電話機セットを描画した斜視図、図２は図１における電話機セットの電話機本体の操作キー増設機としての操作キー装置の分解斜視図、図３は同じく操作キー装置におけるプリント基板及びゴムスイッチを取外した状態で描画した上ケースの背面図、図４は図３における操作キー装置を構成する各操作キーユニットの平面配置状態を描画した説明図、図５は図３における操作キーユニットを取外した状態を描画した上ケースの背面図、図６は同じく図３における操作キーユニットを取外した状態で描画した上ケースの部分斜視図、図７は同じく図３における上ケースから取外した互いに隣接する操作キーユニットを分解して描画した斜視図、図８は図３における同じく上ケースから取外した互いに隣接する操作キーユニットを組付けた状態を描画した斜視図、図９は図８のＡ円内を描画した拡大図、図１０はプリント基板、ゴムスイッチおよび操作キーユニットを取外した状態を描画した上ケースの背面図である。
【００２５】
先ず、図１に示すように、電子機器の一つである電話機セット１は、電話機の主操作を行う電話機本体２を中央に、一側に送受話器セット３を配設し、他側に操作キー装置４を配設して、構成している。
【００２６】
操作キー装置４は、電話機本体２の操作キー２ａをさらに増設するための装置であり、上ケース５ａと下ケース５ｂとからなる装置ケース５内に、図２に示すようなプリント基板６、スイッチ開閉機構としてのゴムスイッチ７および操作キーユニットアッシー８を収容することにより構成している。
【００２７】
上ケース５ａの操作面部５ａ−１には、操作キーユニットアッシー８が備える多数の操作キー９の数に相当する孔数のキー孔５ａ−２が穿設されており(図５および図６参照)、操作キー９を操作面部５ａ−１から突出させている。このために、図２および図３に示すように、上ケース５ａの操作面部５ａ−１の裏面側には、操作キーユニットアッシー８が配設されている。
【００２８】
そして、上ケース５ａ内において、操作キーユニットアッシー８とプリント基板６との間にゴムスイッチ７が介在し、操作面部５ａ−１の裏面側中央部に縦列２列に形成した６本の取付けボス５ａ−３をプリント基板６に設けた６個の取付け孔６ａからそれぞれ挿通させ、ビス６ｂを螺合することによって、操作キーユニットアッシー８およびゴムスイッチ７を挟着する状態で、プリント基板６が上ケース５ａに装着されている。
【００２９】
そのうえで、上ケース５ａの下面側に下ケース５ｂの上面側を組み合わせて、下ケース５ｂ側より複数のビス５−１を用いて、上ケース５ａに下ケース５ｂを装着し、装置ケース５を完成させている。
【００３０】
操作キーユニットアッシー８は、図３及び図４に明確に記載するように、上ケース５ａの操作面部５ａ―１の裏面側を略６等分する形で、縦２列横３列合計６個の操作キーユニット９−１乃至９−６を有して構成している。この結果、上ケース５ａには、６個の操作キーユニット９−１乃至９−６が互いに並置されていることになる。
【００３１】
各操作キーユニット９−１乃至９−６は、略長方形の枠状に形成されたキー連結フレーム１０−１乃至１０−６をそれぞれ長手方向において略６等分するように仕切り壁１０ａで仕切って形成された６つのキー配設部１０ｂにそれぞれ操作キー１１を配して、これら操作キー１１を可撓片１０ｃで連結することによって構成している。
【００３２】
可撓片１０ｃは、弾性変形可能になっており、常に、操作キー１１を上ケースの操作面部５ａから外方に突出するように付勢している。
【００３３】
上ケース５ａの上部側に配設されるキー連結フレーム１０−１乃至１０−３における互いに対向する一対の長辺側部１０−１ａ乃至１０−３ａ、１０−１ｂ乃至１０−３ｂには、それぞれ、上ケース５ａの裏面側中央部に形成された縦列３列横列２列合計６本の取付けボス５ａ−３にそれぞれ嵌合する一対の嵌合部１２が形成され、同じく、上ケース５ａの下部側に配設されるキー連結フレーム１０−４乃至１０−６における互いに対向する一対の長辺側部１０−４ａ乃至１０−６ａ、１０−４ｂ乃至１０−６ｂには、それぞれ、一つの嵌合部１２が形成されている。
【００３４】
いずれの嵌合部１２も、取付けボス５ａ−３の外形形状とほぼ同じ内形形状を有すると共に、一部を切欠いて形成した切り離し部１２ａを設けて構成しており、弾性的に拡縮可能になっている。
【００３５】
また、図７に示すように、キー連結フレーム１０−１乃至１０−６における一方の長辺側部１０−１ａ乃至１０−６ａには、それぞれ互いに離間した状態で、操作キー１１の延在方向に延出するように、ピン状を呈する一対の連結突起１０ｄが突設されると共に、他方の長辺側部１０−１ｂ乃至１０−６ｂには、隣接する側の連結突起１０ｄが嵌合するように連結孔部１０ｅが形成されており、連結孔部１０ｅは操作キー１１の延在方向に面する側が開口している。
【００３６】
また、図６に示すように、上ケース５ａの上部側に位置するキー連結フレーム１０−１乃至１０−３における一方の短辺側部１０−１ｃ乃至１０−３ｃには、上ケース５ａの下方に突出するように、一対の連結凸部１０ｆが形成されており、これに対応して、上ケース５ａの下側に位置するキー連結フレーム１０−４乃至１０−６において、キー連結フレーム１０−１乃至１０−３の一方の短辺側部１０−１ｃ乃至１０−３ｃに互いに隣接対向する一方の短辺側部１０−４ｃ乃至１０−６ｃには、連結凸部１０ｆが嵌合する連結凹部１０ｇが形成されており、連結凸部１０ｆが連結凹部１０ｇに嵌合した際には、キー連結フレーム１０−１乃至１０−３における一方の短辺側部１０−１ｃ乃至１０−３ｃと、キー連結フレーム１０−４乃至１０−６の一方の短辺側部１０−４ｃ乃至１０−６ｃとは、略平面的に対向している。
【００３７】
さらに、キー連結フレーム１０−１乃至１０−３における一方の短辺側部１０−１ｃ乃至１０−３ｃと両長辺側部１０−１ａ乃至１０−３ａ、１０−１ｂ乃至１０−３ｂとがそれぞれ交叉する隅角部は、凹湾曲部１０−１ｅ乃至１０−３ｅに形成されている。
【００３８】
キー連結フレーム１０−４乃至１０−６における他方の短辺側部１０−４ｄ乃至１０−６ｄは、略平面的に連続するように形成されている。
【００３９】
また、キー連結フレーム１０−１乃至１０−６における一方の長辺側部１０−１ａ乃至１０−６ａ及び他方の長辺側部１０−１ｂ乃至１０−６ｂには、それぞれ、上下方向に互い違いの段差部１０ｉ、１０ｈがそれぞれ形成されており、段差部１０ｉ、１０ｈ同士を互いに重合するように構成しており、重合した場合に、両操作キー１１のキートップ面が上下方向において略面一になるようになっている。
【００４０】
かかる構成において、操作キーユニット９−１乃至９−６を上ケース５ａに配設した後、ゴムスイッチ７を介在させて、プリント基板６を組込んで本固定するには、図５において、先ず、上ケース５ａを裏面側より平面視した状態で、上ケース５ａの下部左側に配設する操作キーユニット９−４を、キー連結フレーム１０−４の一方の長辺側部１０−４ｂに形成した嵌合部１２を上ケース５ａの下部左側に形成した取付けボス１３に嵌合すると共に、一方の長辺側部１０−４ａに形成した嵌合部１２を上ケース５ａの中央下部に形成した取付けボス５ａ―３を嵌合することによって、仮固定する。この時、上ケース５ａには、キー連結フレーム１０−４の他方の長辺側部１０−４ｂに形成した段差部１０ｈを受け入れる段差受け入れ部５ａ―４が形成されている。
【００４１】
次に、操作キーユニット９−４における連結フレーム１０−４の一方の長辺側部１０−４ａの段差部１０ｉに、図７及び図８に示すように、上ケース５ａの下部中央側に配設する操作キーユニット９−５における連結フレーム１０−５の他方の長辺側部１０−５ｂの段差部１０ｈを重合した状態で、操作キーユニット９−５を配置し、連結フレーム１０−５の他方の長辺側部１０−５ｂに形成した嵌合部１２を上ケース５ａの下部中央左側に形成した取付けボス５ａ―３に、連結フレーム１０−４の嵌合部１２に重合させた状態で、嵌合すると共に、連結フレーム１０−５の一方の長辺側部１０−５ａに形成した嵌合部１２を、上ケース５ａの下部中央右側に形成した取付けボス５ａ―３に嵌合し、操作キーユニット９−５を仮固定する。この時、操作キーユニット９−５が操作キーユニット９−４に重合することによって、操作キーユニット９−４の仮固定状態をさらに確実に保持することになる。また、操作キーユニット９−４における連結フレーム１０−４の一方の長辺側部１０−４ａに形成した連結孔部１０ｅに、操作キーユニット９−５の連結フレーム１０−５の他方の長辺側部１０−５ｂに形成した連結突起１０ｄが嵌合して、操作キーユニット９−４と操作キーユニット９−５とが上ケース５ａ上において連結されることになる。ここにおいて、操作キーユニット９−４における連結フレーム１０−４の一方の長辺側部１０−４ａに形成した段差部１０ｉに、操作キーユニット９−５における連結フレーム１０−５の他方の長辺側部１０−５ｂの段差部１０ｈが重ね合わされることにより、操作キーユニット９−４及び９−５の操作キー１１のキートップ面同士を、高さ方向においてフラットになるように配置されている。
【００４２】
次に、操作キーユニット９−５における連結フレーム１０−５の一方の長辺側部１０−５ａの段差部１０ｉに、上ケース５ａの下部右側に配設する操作キーユニット９−６における連結フレーム１０−６の他方の長辺側部１０−６ｂａの段差部１０ｈを重合した状態で、操作キーユニット９−６を配置し、連結フレーム１０−６の他方の長辺側部１０−６ｂに形成した嵌合部１２を、キー連結フレーム１０−５における一方の長辺側部１０−５ａに形成した嵌合部１２に重ねるようにして、上ケース５ａの下部中央右側に形成した取付けボス５ａ―３に嵌合すると共に、連結フレーム１０−６の一方の長辺側部１０−６ａに形成した嵌合部１２を上ケース５ａの下部右側に形成した取付けボス１４に嵌合し、操作キーユニット９−６を仮固定する。この時、操作キーユニット９−６が操作キーユニット９−５に重合することによって、操作キーユニット９−５延いては操作キーユニット９−４の仮固定状態をさらに確実に保持することになる。また、操作キーユニット９−５における連結フレーム１０−５の一方の長辺側部１０−５ａに形成した連結孔部１０ｅに、操作キーユニット９−６における連結フレーム１０−６の他方の長辺側部１０−６ｂに形成した連結突起(不図示)が嵌合して、操作キーユニット９−５と操作キーユニット９−６とが上ケース５ａ上において連結されることになる。ここにおいて、操作キーユニット９−５における連結フレーム１０−５の一方の長辺側部１０−５ａに形成した段差部１０ｉに、操作キーユニット９−６における連結フレーム１０−６の他方の長辺側部１０−６ｂの段差部１０ｈが重ね合わされることにより、操作キーユニット９−５及び９−６の操作キー１１のキートップ面同士を、高さ方向においてフラットになるように配置されている。
【００４３】
次に、上ケース５ａの上部左側に配設する操作キーユニット９−１を、キー連結フレーム１０−１の一方の長辺側部１０−１ａに形成した一対の嵌合部１２を上ケース５ａの上部中央左側に形成した縦列一対の取付けボス５ａ―３にそれぞれ嵌合することによって、仮固定する。この時、図５に示すように、操作キーユニット９−１の他方の短辺側部１０−１ｄに形成した連結凸部１０ｆが操作キーユニット９−４の一方の短辺側部１０−４ｃに形成した連結凹部１０ｇに嵌合重合して、操作キーユニット９−４の仮固定機能をさらに向上させ、且つ、操作キーユニット９−１における操作キー１１のキートップ面と、操作キーユニット９−４における操作キー１１のキートップ面同士をフラットに配置することになる。
【００４４】
次に、上ケース５ａの上部中央側に配設する操作キーユニット９−２を、キー連結フレーム１０−２の一方の長辺側部１０−２ａおよび他方の長辺側部１０−２ｂにそれぞれ形成した一対の嵌合部１２を上ケース５ａの上部中央側に縦列２列に形成した一対の取付けボス５ａ―３にそれぞれ嵌合することによって、仮固定する。この時、操作キーユニット９−２の他方の短辺側部１０−２ｄに形成した連結凸部１０ｆが操作キーユニット９−５の一方の短辺側部１０−５ｃに形成した連結凹部１０ｇに嵌合重合して、操作キーユニット９−５の仮固定機能をさらに向上させることになる。また、操作キーユニット９−１における連結フレーム１０−１の一方の長辺側部１０−１ａの段差部１０ｉに、操作キーユニット９−２における連結フレーム１０−２の他方の長辺側部１０−２ｂの段差部１０ｈが重合して、操作キーユニット９−１における操作キー１１のキートップ面と、操作キーユニット９−２における操作キー１１のキートップ面同士をフラットに配置することになる。
【００４５】
次に、上ケース５ａの上部右側に配設する操作キーユニット９−３を、キー連結フレーム１０−３の一方の長辺側部１０−３ａに形成した一対の嵌合部１２を上ケース５ａの上部中央右側に形成した一対の取付けボス５ａ―３にそれぞれ嵌合することによって、仮固定する。この時、操作キーユニット９−３の他方の短辺側部１０−３ｄに形成した連結凸部１０ｆが操作キーユニット９−６の一方の短辺側部１０−６ｃに形成した連結凹部１０ｇに嵌合重合して、操作キーユニット９−６の仮固定機能をさらに向上させることになる。また、操作キーユニット９−２における連結フレーム１０−２の一方の長辺側部１０−２ａの段差部１０ｉに、操作キーユニット９−３における連結フレーム１０−３の他方の長辺側部１０−３ｂの段差部１０ｈが重合して、操作キーユニット９−２における操作キー１１のキートップ面と、操作キーユニット９−３における操作キー１１のキートップ面同士をフラットに配置することになる。
【００４６】
このような状態において、操作キーユニット９−１における連結フレーム１０−１の他方の長辺側部１０−１ｂに設けた一対の嵌合部１２と操作キーユニット９−４における連結フレーム１０−４の他方の長辺側部１０−４ｂに設けた一対の嵌合部１２とは、それぞれ、上ケース５ａの裏面左端側部に形成した３本の仮固定突起１３にそれぞれ嵌合し、また、操作キーユニット９−３における連結フレーム１０−３の一方の長辺側部１０−３ａに設けた一対の嵌合部１２と操作キーユニット９−６における連結フレーム１０−６の一方の長辺側部１０−６ａに設けた一対の嵌合部１２とは、それぞれ、上ケース５ａの裏面右端側部に形成した３本の仮固定突起１４にそれぞれ嵌合することによって、操作キーユニット９−１および操作キーユニット９−６が仮固定されている。
【００４７】
また、操作キーユニット９−１の凹湾曲部１０−１ｅが、上ケース５ａの裏面左上端側部に立設した仮固定ボス１５に嵌合し、また、操作キーユニット９−３の凹湾曲部１０−３ｅが、上ケース５ａの裏面右上端側部に立設した仮固定ボス１６に嵌合して、やはり、操作キーユニット９−１および操作キーユニット９−３が仮固定されている。
【００４８】
上記のように、操作キーユニット９−１乃至９−６を、上ケース５ａに仮固定にて配置した後、ゴムスイッチ７に形成した取付け孔７ａに取付けボス５ａ−３を挿通させ、さらに、取付けボス５ａ−３にプリント基板６の取付け孔６ａを合わせてプリント基板６を置いた後、ビス６ｂを取付けボス５ａ―３に螺着することにより、プリント基板６と上ケース５ａの裏面との間に、ゴムスイッチ７と共に、操作キーユニット９−１乃至９−６が挟着される形で、上ケース５ａに本固定されることになる。
【００４９】
以上説明した本発明に係る実施例においては、上ケース５ａにプリント基板６を取付ける前に、上ケース５ａに形成した取付けボス５ａ―３にキー連結フレーム１０−１乃至１０−６にそれぞれ形成した嵌合部１２を嵌合することにより、操作キーユニット９−１乃至９−６を仮固定によりサブアセンブリーすることができ、このために、上ケース５ａに操作キーユニット９−１乃至９−６を仮固定するための特別の突起等を形成する必要がなく、また、仮固定のためのキー連結フレーム９−１乃至９−６の嵌合部１２が上ケース５ａ側の取付けボス５ａ―３にたとえばフリクションを有して嵌合することにより、その後に、上ケース５ａを異なる場所に運搬したような場合でも、操作キーユニット９−１乃至９−６が上ケース５ａの所定配設位置に仮固定された状態を維持して脱落防止機能を発揮することができ、プリント基板６を取付ける場合に、操作キーユニット９−１乃至９−６を再配設する必要がなくなり、操作キー装置の組立て工数を大幅に軽減することができると共に、装置の大型化を招くことを防止する。
【００５０】
また、操作キーユニット９−１乃至９−６側の嵌合部１２を上ケース５ａ側の取付けボス５ａ−３に嵌合する際に、切り離し部１２ａが拡がりながら嵌合部５ａ−３を取付けボス５ａ−３に嵌合させることができ、嵌合部１２を取付けボス５ａ−３に対してフリクションを持たせて嵌合したとしても、嵌合部１２の取付けボス５ａ−３への嵌合が容易に行うことができる。
【００５１】
また、互いに重なって上ケース５ａに仮固定された操作キーユニット９−１乃至９−６のうち、上ケース５ａに対して下側に位置する操作キーユニット９−４乃至９−６が上側に位置する操作キーユニット９−１乃至９−３によって互いに干渉されることになり、下側の操作キーユニット９−４乃至９−６の上ケース５ａからの脱落防止機能がさらに確実なものとなり、しかも、互いに隣接する操作キーユニット９−６と９−５、９−５と９−４、９−３と９−２及び９−２と９−１同士を上下方向に重合させることによって、装置ケース５内における省スペース化を図ることができる。
【００５２】
また、操作キーユニット９−１、９−２における連結フレーム１０−１、１０−２の一方の長辺側部１０−１ａ、１０−２ａに形成した連結孔部１０ｅがそれぞれ操作キーユニット９−２、９−３における連結フレーム１０−２、１０−３の他方の長辺側部１０−１ｂ、１０−２ｂに形成した連結突起１０ｄに嵌合することによって、操作キーユニット９−１、９−２及び９−３をアセンブリーすることができて、上ケース５ａにサブアセンブリーした状態において、互いに干渉し合って、上ケース５ａからの脱落を防止することができる。
【００５３】
同様に、操作キーユニット９−４、９−５における連結フレーム１０−４、１０−５の一方の長辺側部１０−４ａ、１０−５ａに形成した連結孔部１０ｅがそれぞれ操作キーユニット９−５、９−６における連結フレーム１０−５、１０−６の他方の長辺側部１０−５ｂ、１０−６ｂに形成した連結突起１０ｄに嵌合することによって、操作キーユニット９−４、９−５及び９−６をアセンブリーすることができて、上ケース５ａにサブアセンブリーした状態において、互いに干渉し合って、上ケース５ａからの脱落を防止することができる。
【００５４】
また、上ケース５ａの下側に配設される操作キーユニット９−４、９−５及び９−６は、その連結フレーム１０−４、１０−５および１０−６の一方の短辺側部１０−４ｃ、１０−５ｃ及び１０−６ｃにそれぞれ形成した連結凹部１０ｇが、操作キーユニット９−１、９−２及び９−３における連結フレーム１０−１、１０−２及び１０−３の他方の短辺側部１０−１ｄ、１０−２ｄおよび１０−３ｄに形成した連結凸部１０ｆにそれぞれ嵌合することにより、操作キーユニット９−１乃至９−６は互いにアセンブリーされることになって、上ケース５ａに仮固定によるサブアセンブリーをした状態において、互いに干渉し合って、上ケース５ａからの脱落を防止することができる。
【産業上の利用可能性】
【００５５】
以上説明したように、本発明は、装置ケースにプリント基板を取付ける前に、装置ケースに形成した取付けボスにキー連結フレームに形成した嵌合部を嵌合することにより操作キーユニットをサブアセンブリーすることができ、このために、装置ケースに操作キーユニットを仮固定するための特別の突起等を形成する必要がなく、また、仮固定のためのキー連結フレームの嵌合部が装置ケース側の取付けボスにたとえばフリクションを有して嵌合していることにより、その後に、装置ケースを異なる場所に運搬したような場合でも、操作キーユニットが装置ケースの所定配設位置に仮固定された状態を維持することができ、プリント基板を取付ける場合に、操作キーユニットを再配設する必要がなくなり、機器の組立て工数を大幅に軽減することができると共に、装置の大型化を防止することができるために、電話機などに操作部として用いる操作キーユニットの取付け構造及びこれを用いて構成するキーユニットを備えた電子機器、特に、電話機における操作キーの増設のために電話機本体とは別構成の操作キー装置等における操作キーユニットの取付け構造及びこれを用いて構成する操作キーユニットを備えた電子機器等に好適である。
【図面の簡単な説明】
【００５６】
【図１】本発明に係る実施例を採用した電子機器としての電話機セットを描画した斜視図
【図２】図１における電話機セットの電話機本体の操作キー増設機としての操作キー装置の分解斜視図
【図３】同じく操作キー装置におけるプリント基板及びゴムスイッチを取外した状態で描画した上ケースの背面図
【図４】図３における操作キー装置を構成する各操作キーユニットの平面配置状態を描画した説明図
【図５】図３における操作キーユニットを取外した状態を描画した上ケースの背面図
【図６】同じく図３における操作キーユニットを取外した状態で描画した上ケースの部分斜視図
【図７】同じく図３における上ケースから取外した互いに隣接する操作キーユニットを分解して描画した斜視図
【図８】図３における同じく上ケースから取外した互いに隣接する操作キーユニットを組付けた状態を描画した斜視図
【図９】図８のＡ円内を描画した拡大図
【図１０】プリント基板、ゴムスイッチおよび操作キーユニットを取外した状態を描画した上ケースの背面図
【符号の説明】
【００５７】
１    電話機セット
２    電話機本体
４    操作キー装置（電子機器）
５    装置ケース
５ａ  上ケース
５ｂ  下ケース
５ａ−３  取付けボス
６    プリント基板
７    ゴムスイッチ（スイッチ開閉機構）
９−１〜９−６    操作キーユニット
１０−１〜１０−６    キー連結フレーム
１０ｄ、１０ｆ  連結突起
１０ｅ、１０ｇ  連結凹部
１０ｈ、１０ｉ  段差部
１１    操作キー
１２    嵌合部
１２ａ  切り離し部
【図１】
2008047442.tif 000003
【図２】
2008047442.tif 000004
【図３】
2008047442.tif 000005
【図４】
2008047442.tif 000006
【図５】
2008047442.tif 000007
【図６】
2008047442.tif 000008
【図７】
2008047442.tif 000009
【図８】
2008047442.tif 000010
【図９】
2008047442.tif 000011
【図１０】
2008047442.tif 000012